(57)【要約】【課題】状況に応じて選択的にカラー画像データの読取速度又は読取画質の向上を図ることのできる画像読取装置、画像形成装置及び画像読取方法を提供すること。【解決手段】複数のＣＩＳにより白基準部材から白基準データを読み取り（Ｓ２）、その読み取られた白基準データが予め定められた除外条件を満たす一又は複数のＣＩＳを除く他の一又は複数のＣＩＳのみを用いて原稿からカラー画像データを読み取る高画質読取モード（Ｓ３１、Ｓ５１）と、複数の光源から照射される複数の色の光に対応する複数の画像データを複数のＣＩＳで分担して同時に読み取ることにより原稿からカラー画像データを読み取る高速読取モード（Ｓ７１、Ｓ７２）とのいずれかを予め定められた条件に応じて選択して原稿からカラー画像データを読み取る。【選択図】図３
2013090258.tif 000002
【特許請求の範囲】
【請求項１】
異なる色の光を照射する複数の光源と前記光源各々から原稿に光が照射されたときの反射光から画像データを読み取る撮像素子とを有する複数の撮像手段と、
前記撮像手段各々により白基準部材から白基準データを読み取る白基準読取手段と、
前記白基準読取手段により読み取られた前記白基準データが予め定められた除外条件を満たす一又は複数の前記撮像手段を除く他の一又は複数の前記撮像手段のみを用いて前記原稿からカラー画像データを読み取る第１の画像読取手段と、
前記複数の光源から照射される複数の色の光に対応する複数の画像データを前記複数の撮像手段で分担して同時に読み取ることにより前記原稿からカラー画像データを読み取る第２の画像読取手段と、
予め定められた条件に応じて前記第１の画像読取手段及び前記第２の画像読取手段のいずれかを選択して前記原稿からカラー画像データを読み取る動作選択手段と、
を備えてなることを特徴とする画像読取装置。
【請求項２】
前記第１の画像読取手段及び前記第２の画像読取手段のいずれかを操作入力に応じて選択する操作選択手段を更に備えてなり、
前記動作選択手段は、前記白基準読取手段により読み取られた前記白基準データのうち少なくとも一つの白基準データが前記除外条件を満たす場合に、前記操作選択手段による選択結果に応じて前記第１の画像読取手段又は前記第２の画像読取手段を選択するものである請求項１に記載の画像読取装置。
【請求項３】
前記動作選択手段は、前記白基準データの全てが前記除外条件を満たさない場合及び前記白基準データの全てが前記除外条件を満たす場合に前記第２の画像読取手段を選択するものである請求項１又は２のいずれかに記載の画像読取装置。
【請求項４】
前記除外条件が、前記白基準データに白レベルが所定値以下のノイズが含まれていることである請求項１〜３のいずれかに記載の画像読取装置。
【請求項５】
前記白基準読取手段により読み取られた前記白基準データのうち少なくとも一つの白基準データが前記除外条件を満たさない場合に、予め定められたメッセージ表示を行うメッセージ表示手段を更に備えてなる請求項１〜４のいずれかに記載の画像読取装置。
【請求項６】
請求項１〜５のいずれかに記載の画像読取装置を備えてなる画像形成装置。
【請求項７】
異なる色の光を照射する複数の光源と前記光源各々から原稿に光が照射されたときの反射光から画像データを読み取る撮像素子とを有する複数の撮像手段と、前記撮像手段各々により白基準部材から白基準データを読み取る白基準読取手段と、を備えてなる画像読取装置で実行される画像読取方法であって、
前記白基準読取手段により読み取られた前記白基準データが予め定められた除外条件を満たす一又は複数の前記撮像手段を除く他の一又は複数の前記撮像手段のみを用いて前記原稿からカラー画像データを読み取る第１の画像読取工程と、前記複数の光源から照射される複数の色の光に対応する複数の画像データを前記複数の撮像手段で分担して同時に読み取ることにより前記原稿からカラー画像データを読み取る第２の画像読取工程とのいずれかを予め定められた条件に応じて選択して前記原稿からカラー画像データを読み取ることを特徴とする画像読取方法。
【発明の詳細な説明】
【技術分野】
【０００１】
本発明は、原稿に複数色の光を個別に照射したときの反射光からカラー画像データを読み取る画像読取装置、画像形成装置、及び画像読取方法に関し、特に、カラー画像データの読取画質又は読取速度の向上を図るための技術に関するものである。
【背景技術】
【０００２】
従来から、Ｒ（赤）、Ｇ（緑）、Ｂ（青）に対応する３色の光源（ＬＥＤ等）及び一つのラインセンサーを有する光源切替方式の画像読取装置が知られている（例えば特許文献１参照）。この種の画像読取装置では、３色の光源を順次点灯させた際にラインセンサーで受光される受光データをそれぞれＲ画像データ、Ｇ画像データ、Ｂ画像データとして読み取ることによりカラー画像データが取得される。
一方、例えば特許文献２には、３色の光源及び３つのラインセンサーを有しており、３色の光源から照射される光を３つのラインセンサーで同時に受光して各色の画像データを読み取る画像読取装置が開示されている。
【先行技術文献】
【特許文献】
【０００３】
【特許文献１】特開２００２−３４４６９６号公報
【特許文献２】特開２００８−２２２５４号公報
【発明の概要】
【発明が解決しようとする課題】
【０００４】
ところで、前記特許文献１に開示されている光源切替方式の画像読取装置では、１ラインごとにＲＧＢ各色の光源を順に点灯させるため、カラー画像データの読取速度が遅いことが問題となる。
また、ラインセンサーによる画像データの読み取り時に、例えばコンタクトガラスにゴミや汚れなどが付着していると、そのゴミや汚れがノイズとなりカラー画像データの読取画質が低下する。この点は、前記特許文献２のように３つのラインセンサーを有する画像読取装置でも同様であり、いずれかのラインセンサーによる読取画像にノイズが生じている場合にはカラー画像データの読取画質が低下することが問題となる。
従って、本発明は上記事情に鑑みてなされたものであり、その目的とするところは、状況に応じて選択的にカラー画像データの読取速度又は読取画質の向上を図ることのできる画像読取装置、画像形成装置及び画像読取方法を提供することにある。
【課題を解決するための手段】
【０００５】
上記目的を達成するために本発明は、以下の（１）〜（５）の構成要素を備えてなることを特徴とする画像読取装置として構成される。
（１）異なる色の光を照射する複数の光源と前記光源各々から原稿に光が照射されたときの反射光から画像データを読み取る撮像素子とを有する複数の撮像手段。
（２）前記撮像手段各々により白基準部材から白基準データを読み取る白基準読取手段。
（３）前記白基準読取手段により読み取られた前記白基準データが予め定められた除外条件を満たす一又は複数の前記撮像手段を除く他の一又は複数の前記撮像手段のみを用いて前記原稿からカラー画像データを読み取る第１の画像読取手段。
（４）前記複数の光源から照射される複数の色の光に対応する複数の画像データを前記複数の撮像手段で分担して同時に読み取ることにより前記原稿からカラー画像データを読み取る第２の画像読取手段。
（５）予め定められた条件に応じて前記第１の画像読取手段及び前記第２の画像読取手段のいずれかを選択して前記原稿からカラー画像データを読み取る動作選択手段。
本発明によれば、予め定められた条件に応じて前記第１の画像読取手段及び前記第２の画像読取手段のいずれかを選択的に用いて原稿からカラー画像データを読み取ることにより、そのカラー画像データの読取画質又は読取速度のいずれかを選択的に向上させることが可能となる。
【０００６】
より具体的には、前記第１の画像読取手段及び前記第２の画像読取手段のいずれかを操作入力に応じて選択する操作選択手段を更に備えており、前記動作選択手段は、前記白基準読取手段により読み取られた前記白基準データのうち少なくとも一つの白基準データが前記除外条件を満たす場合に、前記操作選択手段による選択結果に応じて前記第１の画像読取手段又は前記第２の画像読取手段を選択するものであることが考えられる。これにより、ユーザーは、前記撮像手段のいずれかによる読取画質が低下しているときに、カラー画像データの読取画質又は読取速度のいずれを優先させるかを前記操作入力により任意に選択することが可能となる。
また、前記動作選択手段は、前記白基準データの全てが前記除外条件を満たさない場合及び前記白基準データの全てが前記除外条件を満たす場合に前記第２の画像読取手段を選択するものであることが考えられる。これにより、全ての前記撮像手段の読取精度が高い場合には、前記第２の画像読取手段が選択されることにより読取速度を早くすると共に高い読取画質を得ることができる。また、全ての前記撮像手段の読取精度が低い場合には、そもそも高い読取画質を得ることができないため、前記第２の画像読取手段が選択され、読取画質よりも読取速度が優先される。
ところで、前記除外条件は、例えば前記白基準データに白レベルが所定値以下のノイズが含まれていることである。前記ノイズが含まれていれば、ゴミや汚れの付着などに起因して前記撮像手段による読取精度が低下していると判断できるためである。
さらに、前記白基準読取手段により読み取られた前記白基準データのうち少なくとも一つの白基準データが前記除外条件を満たさない場合に、予め定められたメッセージ表示を行う構成が考えられる。これにより、例えば前記撮像手段にゴミ又は汚れが付着している旨を報知する内容のメッセージを表示させることで、ユーザーに対して前記撮像手段などの点検を促すことができる。
【０００７】
ところで、本発明は、前記画像読取装置を備えてなる画像形成装置の発明として捉えてもよい。
また、本発明は、画像読取装置で実行される画像読取方法の発明として捉えてもよい。即ち、異なる色の光を照射する複数の光源と前記光源各々から原稿に光が照射されたときの反射光から画像データを読み取る撮像素子とを有する複数の撮像手段と、前記撮像手段各々により白基準部材から白基準データを読み取る白基準読取手段と、を備えてなる画像読取装置で実行される画像読取方法であって、前記白基準読取手段により読み取られた前記白基準データが予め定められた除外条件を満たす一又は複数の前記撮像手段を除く他の一又は複数の前記撮像手段のみを用いて前記原稿からカラー画像データを読み取る第１の画像読取工程と、前記複数の光源から照射される複数の色の光に対応する複数の画像データを前記複数の撮像手段で分担して同時に読み取ることにより前記原稿からカラー画像データを読み取る第２の画像読取工程とのいずれかを予め定められた条件に応じて選択して前記原稿からカラー画像データを読み取ることを特徴とする画像読取方法を本発明として捉えることができる。
【発明の効果】
【０００８】
本発明によれば、予め定められた条件に応じて前記第１の画像読取手段及び前記第２の画像読取手段のいずれかを選択的に用いて原稿からカラー画像データを読み取ることにより、そのカラー画像データの読取画質又は読取速度のいずれかを選択的に向上させることが可能となる。
【図面の簡単な説明】
【０００９】
【図１】本発明の実施の形態に係るカラースキャナーＸの概略構成を示す模式図。
【図２】本発明の実施の形態に係るカラースキャナーＸのＣＩＳ３１の概略構成を示す要部模式図。
【図３】本発明の実施の形態に係るカラースキャナーＸで実行されるカラースキャン処理の手順の一例を示すフローチャート。
【図４】高速読取モードを実行する場合の動作例を示す図。
【図５】高画質読取モードを実行する場合の動作例を示す図。
【図６】高画質読取モードを実行する場合の動作例を示す図。
【図７】本発明の実施の形態に係るカラースキャナーＸで実行されるカラースキャン処理の手順の他の例を示すフローチャート。
【発明を実施するための形態】
【００１０】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１１】
＜カラースキャナーＸ＞
まず、図１を参照しつつ、本発明の実施の形態に係るカラースキャナーＸ（画像読取装置の一例）の概略構成について説明する。
図１に示すように、前記カラースキャナーＸは、大別すると装置本体１及び前記装置本体１の上方に配置されたＡＤＦ（自動原稿送り装置）２を備えている。ところで、本発明は、前記カラースキャナーＸを備えた、或いは前記カラースキャナーＸと同様の画像読取機能を有する複写機、ファクシミリ装置、プリンター、及び複合機などの画像形成装置にも適用することができる。また、前記ＡＤＦ２を有さない所謂フラットベッドスキャナーと称される画像読取装置も本発明に係る画像読取装置の一例である。前記フラットベッドスキャナーでは、前記装置本体１の読取機構として後述のＣＩＳ３１〜３３を用いた読取機構が設けられる。
【００１２】
＜装置本体１＞
前記装置本体１は、コンタクトガラス２１、光源ユニット２３、ミラー４３、４４、光学レンズ４５、ＣＣＤ（Charge  Coupled  Device）４６、及び制御部４０などを備えている。
前記制御部４０は、ＣＰＵ、ＲＯＭ、ＲＡＭ、及びＥＥＰＲＯＭなどを有している。前記制御部４０は、前記ＲＯＭに格納された所定の制御プログラムに従った処理を前記ＣＰＵで実行することにより前記カラースキャナーＸを統括的に制御する。なお、前記制御部４０は、集積回路（ＡＳＩＣ）などの電子回路で構成されたものであってもよい。
前記コンタクトガラス２１は、前記装置本体１の上面に設けられており、前記カラースキャナーＸの画像読取対象となる原稿Ｐが載置される透明な原稿台である。
前記読取ユニット２３は、ＬＥＤ光源４１及びミラー４２を備えており、不図示のモーターによって図１における左右方向（副走査方向）へ移動可能に構成されている。前記ＬＥＤ光源４１は、図１において奥行き方向（以下、「主走査方向」という）に沿って配列された多数の白色ＬＥＤを備えており、前記コンタクトガラス２１上の読取位置２２に１ライン分の白色光を照射する。前記ミラー４２は、前記読取位置２２にある原稿Ｐ又は後述の原稿押さえ１５で反射した後の光を前記ミラー４３に向けて反射させる。そして、前記ミラー４２で反射した光は、前記ミラー４３、４４によって前記光学レンズ４５に導かれる。前記光学レンズ４５は、入射した光を集光して前記ＣＣＤ４６に入射させる。前記ＣＣＤ４６は、前記光学レンズ４５から入射される光の受光量に応じた画像信号を前記原稿Ｐの１ライン分の画像データとして前記制御部４０に入力する。
このように構成された前記装置本体１によるカラー画像データの読取処理などについては従来と異なるところがないためその説明を省略する。なお、本実施の形態では、撮像素子として前記ＣＣＤ４６を用いた例について説明するが、前記ＣＣＤ４６よりも焦点距離の短い密着型のイメージセンサー（ＣＩＳ：Contact  Image  Sensor）を用いてもよい。
【００１３】
＜ＡＤＦ２＞
一方、前記ＡＤＦ２は、原稿セット部１３、複数の搬送ローラー１４、原稿押さえ１５、排紙部１６、及び３つのＣＩＳ３１〜３３（撮像手段の一例）などを備えている。前記ＡＤＦ２は、前記搬送ローラー１４各々を不図示のモーターで駆動させることにより、前記原稿セット部１３にセットされた原稿Ｐを、前記ＣＩＳ３１〜３３の対向箇所及び前記コンタクトガラス２１上の前記読取位置２２を通過させて前記排紙部１６まで搬送させる。
前記原稿押さえ１５は、前記コンタクトガラス２１上の読取位置２２の上方に原稿Ｐが通過できる間隔を隔てた位置に設けられている。前記原稿押さえ１５は、主走査方向に長尺状を成しており、その下面（コンタクトガラス２１側の面）には白色のシートが貼り付けられている。なお、前記シートは、前記装置本体１における画像読取処理の白基準となる白基準データを取得する際に用いられる。
【００１４】
前記ＣＩＳ３１〜３３各々は、前記ＡＤＦ２で搬送される原稿Ｐの裏面から画像データを読み取る密着型のイメージセンサーである。従って、前記カラースキャナーＸでは、前記装置本体１及び前記ＣＩＳ３１〜３３によって、前記ＡＤＦ２による原稿Ｐの搬送中にその原稿Ｐの表面及び裏面の画像データを取得することができる。本実施の形態に係る前記カラースキャナーＸは、前記ＣＩＳ３１〜３３を用いて行われるカラー画像データの読取処理に特徴を有しており、以下、この点について説明する。
【００１５】
ここに、図２は、前記ＣＩＳ３１の概略構成を示す要部模式図である。なお、前記ＣＩＳ３２及び前記ＣＩＳ３３については、前記ＣＩＳ３１と同様に構成されているためその説明を省略する。
図２に示すように、前記ＣＩＳ３１は、コンタクトガラス３１１、白色光源３１２、レンズ３１３、ラインセンサー３１４（撮像素子の一例）、及びこれらを収容するユニット筐体（不図示）などを備えている。
【００１６】
前記白色光源３１２は、Ｒ（赤）の光を照射するＬＥＤ光源３１Ｒ、Ｇ（緑）の光を照射するＬＥＤ光源３１Ｇ、及びＢ（青）の光を照射するＬＥＤ光源３１Ｂを有している。前記白色光源３１２は、複数の前記ＬＥＤ光源３１Ｒ、３１Ｇ、３１Ｂを同時に点灯させることにより白色光を照射する。また、複数の前記ＬＥＤ光源３１Ｒ、３１Ｇ、３１Ｂは個別にも点灯可能である。なお、前記ＬＥＤ光源３１Ｒ、３１Ｇ、３１Ｂ各々の点灯制御は、例えば前記制御部４０又は不図示のＬＥＤドライバー回路によって行われる。
また、前記ＣＩＳ３１には、前記ＬＥＤ光源３１Ｒ、３１Ｇ、３１Ｂからの光を、主走査方向全域に対応する幅の光に拡散して原稿Ｐに照射する導光部材（不図示）が設けられている。なお、前記ＬＥＤ光源３１Ｒ、３１Ｇ、３１Ｂ各々が、主走査方向に配列された多数のＬＥＤを有する構成も考えられる。
【００１７】
前記レンズ３１３は、例えば棒状のレンズを用いたロッドレンズアレイであり、前記原稿Ｐから反射した光を前記ラインセンサー３１４に正立像として結像させる。
前記ラインセンサー３１４は、入射される光を電気信号に変換する多数の光電変換素子が主走査方向に配列されたＣＭＯＳイメージセンサーである。そして、前記ラインセンサー３１４は、前記ＬＥＤ光源３１Ｒ、３１Ｇ、３１Ｂから照射された光を受光すると、その受光量に応じた画像データを前記制御部４０に出力する。具体的に、前記ＣＩＳ３１では、前記ＬＥＤ光源３１Ｒ、３１Ｇ、３１Ｂ各々から前記原稿ＰにＲ、Ｇ、Ｂの各色の光を個別に照射したときの反射光からＲ画像データ、Ｇ画像データ、Ｂ画像データを読み取ることによりカラー画像データが取得される。なお、前記ラインセンサー３１４に代えてＣＣＤなどの他の撮像素子を有する構成であってもよい。
また、前記ＡＤＦ２には、前記ＣＩＳ３１、３２、３３各々の対向箇所に白基準ローラー３１Ａ、３２Ａ、３３Ａ（白基準部材の一例）が配置されている。これにより、前記ＣＩＳ３１〜３３による原稿Ｐの画像読み取り時には、原稿Ｐが前記白基準ローラー３１Ａ〜３３Ａで押圧されて前記ＣＩＳ３１〜３３のコンタクトガラス３１１に密着した状態となる。また、前記白基準ローラー３１Ａ〜３３Ａ各々は、その表面全体が一様に白色であって、前記ＣＩＳ３１〜３３における画像読取処理の白基準となる白基準データを取得するために用いられる。
【００１８】
＜カラースキャン処理＞
そして、前記カラースキャナーＸでは、前記ＣＩＳ３１〜３３で原稿Ｐの裏面から画像データを読み取るために、後述のカラースキャン処理（図３参照）が前記制御部４０によって実行される。
以下、図３のフローチャートを参照しつつ、前記制御部４０で実行される原稿Ｐの裏面についてのカラースキャン処理について説明する。ここに、Ｓ１、Ｓ２、・・・は処理手順（ステップ）番号を表している。また、当該カラースキャン処理における各処理工程を実行することによりカラー画像データを取得する方法が本発明に係る画像読取方法である。なお、前記装置本体１による原稿Ｐの表面のカラースキャン処理については従来と異なるところがないため、ここでは説明を省略する。
【００１９】
（ステップＳ１）
まず、ステップＳ１において、前記制御部４０は、原稿Ｐの裏面についてのカラースキャン処理の開始要求を待ち受ける（Ｓ１のＮｏ側）。例えば、原稿Ｐについて両面のカラースキャン処理の要求操作が不図示の操作表示部に対してなされた場合、前記制御部４０は、原稿Ｐの裏面についてのカラースキャン処理の開始要求があったと判断し（Ｓ１のＹｅｓ側）、処理をステップＳ２に移行させる。
【００２０】
（ステップＳ２）
次にステップＳ２において、前記制御部４０は、前記ＣＩＳ３１〜３３各々における画像読取処理の白基準となる白基準データを取得するための処理を実行する。ここに、係る処理を実行するときの前記制御部４０が白基準読取手段に相当する。このとき、前記制御部４０は、前記ＣＩＳ３１〜３３各々の前記ＬＥＤ光源３１Ｒ、３１Ｇ、３１Ｂを個別に点灯させた場合と、前記ＬＥＤ光源３１Ｒ、３１Ｇ、３１Ｂの全てを同時に点灯させた場合との合計４パターンで、前記ラインセンサー３３によって前記白基準ローラー３１Ａ〜３３Ａの画像データを読み取る。
具体的に、前記制御部４０は、前記ＬＥＤ光源３１Ｒのみを点灯させ、そのときの前記ラインセンサー３３からの出力をＲ画像データ読み取り時の基準となるＲ基準データとして取得する。同じく、前記制御部４０は、前記ＬＥＤ光源３１Ｇのみを点灯させ、そのときの前記ラインセンサー３３からの出力をＧ画像データ読み取り時の基準となるＧ基準データとして取得する。また、前記制御部４０は、前記ＬＥＤ光源３１Ｂのみを点灯させ、そのときの前記ラインセンサー３３からの出力をＢ画像データ読み取り時の基準となるＢ基準データとして取得する。さらに、前記制御部４０は、前記ＬＥＤ光源３１Ｒ、３１Ｇ、３１Ｂの全てを同時に点灯させ、そのときの前記ラインセンサー３３からの出力を白基準データとして取得する。
【００２１】
（ステップＳ３）
続くステップＳ３において、前記制御部４０は、前記ＣＩＳ３１〜３３各々で読み取られた白基準データのいずれかに白レベルが所定値以下のノイズ（濃度の落ち込み箇所）が含まれているか否かを判断して処理を分岐する。前記ノイズは、例えば前記ＣＩＳ３１〜３３のコンタクトガラス３１１や前記白基準ローラー３１Ａ〜３３Ａへのゴミや汚れの付着に起因して生じる筋や黒点であり、前記所定値は前記ノイズを検出するために予め定められた値である。なお、前記制御部４０が、前記ＣＩＳ３１〜３３各々で読み取られた前記白基準データのうち最も白レベルが高いものを基準として、その基準に対して他の白基準データの白レベルが所定値以上低い場合に、その白基準データにノイズが含まれていると判断することも考えられる。なお、前記ＣＩＳ３１〜３３各々で読み取られた白基準データのうち少なくとも一つに白レベルが所定値以下のノイズが含まれていることが本発明に係る除外条件の一例である。
そして、前記ＣＩＳ３１〜３３各々で読み取られた白基準データの少なくとも一つにノイズが含まれていると判断されると（Ｓ３のＹｅｓ側）、処理はステップＳ４に移行し、ノイズが含まれていないと判断されると（Ｓ３のＮｏ側）、処理はステップＳ３１に移行する。
【００２２】
（ステップＳ３１、高速読取モード）
前記ＣＩＳ３１〜３３で読み取られた白基準データの全てにノイズが含まれていない場合（Ｓ３のＮｏ側）、続くステップＳ３１では、前記制御部４０は、前記ＣＩＳ３１〜３３の全てを使用して原稿Ｐからカラー画像データを読み取る高速読取モードで画像読取処理を実行する。この高速読取モードを実行するときの前記制御部４０が第２の画像読取手段に相当し、前記ステップＳ３１が第２の画像読取工程に相当する。
ここに、図４は、前記高速読取モードの画像読取処理を説明するための図である。なお、図４において、（ａ）は１ライン分の画像データの読み取り周期を定めるＨＳＹＮＣ（水平同期信号）を表し、（ｂ）、（ｅ）、（ｈ）は前記ＣＩＳ３１、３２、３３による１ライン分の画像データの取得タイミング信号ＣＳＳＰ１、ＣＳＳＰ２、ＣＳＳＰ３を表している。
前記高速読取モードは、複数の前記ＬＥＤ光源３１Ｒ、３１Ｇ、３１Ｂから照射されるＲ、Ｇ、Ｂの各色に対応する画像データが複数の前記ＣＩＳ３１、３２、３３で分担して同時に読み取られる動作モードである。
具体的には、図４に示すように、前記ＣＩＳ３１では前記ＬＥＤ光源３１Ｒが点灯され（図４（ｃ）参照）、前記ＣＩＳ３１からＲ画像データが出力される（図４（ｄ）参照）。また、これと並行して前記ＣＩＳ３２では前記ＬＥＤ光源３１Ｇが点灯され（図４（ｆ）参照）、前記ＣＩＳ３３では前記ＬＥＤ光源３１Ｂが点灯される（図４（ｉ）参照）。これにより、前記ＣＩＳ３２からＧ画像データが出力され（図４（ｇ）参照）、前記ＣＩＳ３３からＢ画像データが出力される（図４（ｊ）参照）。
従って、前記高速読取モードでは、前記ＣＩＳ３１〜３３を同時に用いて前記原稿Ｐのカラー画像データを高速で読み取ることができる。また、前記ステップＳ３１では、前記ＣＩＳ３１〜３３で読み取られる画像データにノイズが含まれないため（Ｓ３のＮｏ側）、前記ＣＩＳ３１〜３３で読み取られるカラー画像データについて高い読取画質も得られる。
【００２３】
（ステップＳ４）
一方、前記ＣＩＳ３１〜３３のいずれかで読み取られる白基準データにノイズが含まれる場合には（Ｓ３のＹｅｓ側）、続くステップＳ４において、前記制御部４０は予め定められたメッセージを不図示の操作表示部の液晶ディスプレイに表示させる。ここに、係る処理を実行するときの前記制御部４０がメッセージ表示手段に相当する。
例えば、前記制御部４０は、「ＣＩＳ又は白基準ローラーを清掃してください」とのメッセージを表示させることが考えられる。これにより、ユーザーに前記ＣＩＳ３１〜３３のコンタクトガラス３１１や前記白基準ローラー３１Ａ〜３３Ａの清掃を促すことができる。
【００２４】
（ステップＳ５）
次に、ステップＳ５において、前記制御部４０は、前記ＣＩＳ３１〜３３の白基準データにノイズが生じている場合に実行する動作モードとして高画質読取モード及び高速読取モードのいずれが選択されているかを判断して処理を分岐する。ここでは、前記ステップＳ５において、前記制御部４０は前記高画質読取モードが選択されているか否かを判断する。
この前記高画質読取モード又は前記高速読取モードの選択は、例えば前記ステップＳ１で要求されたカラースキャンの開始操作時にユーザーが行う操作表示部（不図示）への操作入力に応じて前記制御部４０によって行われる。また、前記ステップＳ５において、前記制御部４０が前記操作表示部（不図示）に前記高画質読取モード又は前記高速読取モードのいずれかを選択させるための選択画面を表示していずれかをユーザーに選択させることも他の実施例として考えられる。このように、前記操作表示部（不図示）に対するユーザーの任意の操作入力に応じて前記高画質読取モード又は前記高速読取モードのいずれかを選択するときの前記制御部４０が操作選択手段に相当する。
ここに、前記高画質読取モードは、前記ステップＳ２で読み取られた白基準データにノイズが含まれているという除外条件を満たすＣＩＳを除く他のＣＩＳのみを用いて高画質でカラー画像データを読み取る動作モードである。なお、この高画質読取モードでは、ノイズが発生しないＣＩＳのみを用いて画像読取処理が実行されるため高画質の画像読取が可能であるが、前記ＣＩＳ３１〜３３の全てが同時に駆動しないため、カラー画像データの読取速度は前記高速読取モードに比べて遅くなる。
そして、前記高画質読取モードが選択されている場合（Ｓ５のＹｅｓ側）、前記制御部４０は、処理をステップＳ６に移行させる。他方、前記高速読取モードが選択されている場合など、前記高画質読取モードが選択されていない場合（Ｓ５のＮｏ側）、前記制御部４０は、処理をステップＳ５１に移行させる。即ち、前記制御部４０は、前記ステップＳ５において、前記操作表示部（不図示）への操作入力による前記高画質読取モード又は前記高速読取モードの選択結果に応じて、前記高速読取モード及び前記高画質読取モードのいずれを実行するかを選択することとなる。
【００２５】
（ステップＳ５１、高速読取モード）
前記高画質読取モードが選択されていない場合（Ｓ５のＮｏ側）、続くステップＳ５１において、前記制御部４０は、前記高速読取モード（図４参照）で画像読取処理を実行すると共に、画像処理による筋消し制御を実行する。即ち、前記ステップＳ５１では、ユーザーによる任意の選択結果に応じて、カラー画像データの読取画質よりも読取速度が優先された画像読取処理が実行されることとなる。
例えば、前記筋消し制御において、前記制御部４０は、前記ＣＩＳ３１〜３３で読み取られたＲ画像データ、Ｇ画像データ、Ｂ画像データを比較して、ゴミや汚れにより生じた筋や黒点などのノイズを検出し、そのノイズを消去するための画像処理を実行する。なお、前記筋消し制御には、その他の周知技術を採用してもよい。また、前記ステップＳ５１において、前記制御部４０が、前記ＣＩＳ３１〜３３で読み取られたＲ画像データ、Ｇ画像データ、Ｂ画像データを比較することによりゴミや汚れが付着した箇所を特定してその旨を表示（報知）することも考えられる。
【００２６】
（ステップＳ６）
一方、前記高画質読取モードが選択されている場合（Ｓ５のＹｅｓ側）、続くステップＳ６において、前記制御部４０は、前記ステップＳ３でノイズが含まれると判断された白基準データが３つであるか否かを判断する。
そして、前記制御部４０は、前記ＣＩＳ３１〜３３で読み取られた全ての白基準データでノイズが発生している場合には（Ｓ６のＹｅｓ側）、ノイズが発生していないＣＩＳが存在しないため、処理を前記ステップＳ５１に移行させ、前記高速読取モード及び前記筋消し制御を実行する。これにより、前記ＣＩＳ３１〜３３で読み取られるカラー画像データについてそもそも高い読取画質が期待できない場合には、読取速度が優先して向上されることになる。
また、前記ステップＳ３でノイズが含まれると判断された白基準データが３つではない場合には（Ｓ６のＮｏ側）、前記制御部４０は処理をステップＳ７に移行させる。
【００２７】
（ステップＳ７）
次に、ステップＳ７において、前記制御部４０は、前記ステップＳ３でノイズが含まれると判断された白基準データが２つであるか否かを判断する。そして、２つの白基準データでノイズが発生している場合には（Ｓ７のＹｅｓ側）、前記制御部４０は、処理をステップＳ７１に移行させる。また、前記ステップＳ３でノイズが含まれると判断された白基準データが２つではない場合には（Ｓ７のＮｏ側）、前記制御部４０は、処理をステップＳ７２に移行させる。
【００２８】
（ステップＳ７１、高画質読取モード）
２つの白基準データでノイズが発生している場合（Ｓ７のＹｅｓ側）、続くステップＳ７１において、前記制御部４０は、前記ＣＩＳ３１〜３３のうち前記ステップＳ３でノイズが含まれると判断された白基準データに対応する２つのＣＩＳを除く他の１つのＣＩＳのみを用いる高画質読取モードで画像読取処理を実行する。ここに、係る処理を実行するときの前記制御部４０が第１の画像読取手段に相当し、前記ステップＳ７１が第１の画像読取工程に相当する。
ここで、図５を参照しつつ、前記ステップＳ７１で実行される高画質読取モードの画像読取処理について説明する。なお、図５において、（ａ）は１ライン分の画像データの読み取り周期を定めるＨＳＹＮＣ（水平同期信号）を表し、（ｂ）は前記ＣＩＳ３１による１ライン分の画像データの読取開始信号ＣＳＳＰ１を表している。また、ここでは前記ＣＩＳ３２、３３で読み取られた前記白基準データにノイズが含まれており、前記ＣＩＳ３１で読み取られた前記白基準データにノイズが含まれていなかった場合を例に挙げて説明する。
この場合、図５に示すように、１ライン分の画像データの読み取り時には、前記ＣＩＳ３１で前記ＬＥＤ光源３１Ｒが点灯され（図５（ｃ）参照）、前記ＣＩＳ３１からＲ画像データが出力される（図５（ｄ）参照）。続いて、前記ＣＩＳ３１で前記ＬＥＤ光源３１Ｇが点灯され（図５（ｃ）参照）、前記ＣＩＳ３１からＧ画像データが出力される（図５（ｄ）参照）。さらに、前記ＣＩＳ３１で前記ＬＥＤ光源３１Ｂが点灯され（図５（ｃ）参照）、前記ＣＩＳ３１からＢ画像データが出力される（図５（ｄ）参照）。そして、この前記ＣＩＳ３１によるＲ画像データ、Ｇ画像データ、Ｂ画像データの読み取りが繰り返し実行されることにより、原稿Ｐからカラー画像データが読み取られる。
従って、前記高画質読取モードでは、前記ＣＩＳ３１のみを用いて前記原稿Ｐのカラー画像データを読み取るため前記高速読取モードに比べて読取速度は遅いが、読取画像にノイズが発生しない前記ＣＩＳ３１のみを用いるため高い読取画質を得ることができる。
【００２９】
（ステップＳ７２、高画質読取モード）
一方、２つの白基準データでノイズが発生していない場合（Ｓ７のＮｏ側）、即ち１つの白基準データのみでノイズが発生している場合、続くステップＳ７２において、前記制御部４０は、前記高画質読取モードで画像読取処理を実行する。このステップＳ７２における高画質読取モードでは、前記ＣＩＳ３１〜３３のうち前記ステップＳ３でノイズが含まれると判断された白基準データに対応する１つのＣＩＳを除く他の２つのＣＩＳのみが用いられる。ここに、係る処理を実行するときの前記制御部４０が第１の画像読取手段に相当し、前記ステップＳ７２が第１の画像読取工程に相当する。
ここで、図６を参照しつつ、前記ステップＳ７２で実行される高画質読取モードの画像読取処理について説明する。なお、図６において、（ａ）は１ライン分の画像データの読み取り周期を定めるＨＳＹＮＣ（水平同期信号）を表し、（ｂ）、（ｅ）は前記ＣＩＳ３１、３２による１ライン分の画像データの読取開始信号ＣＳＳＰ１、ＣＳＳＰ２を表している。また、ここでは前記ＣＩＳ３３で読み取られた前記白基準データにノイズが含まれており、前記ＣＩＳ３１、３２で読み取られた前記白基準データにノイズが含まれていなかった場合を例に挙げて説明する。
この場合、図６に示すように、１ライン分の画像データの読み取り時には、前記ＣＩＳ３１で前記ＬＥＤ光源３１Ｒが点灯され（図６（ｃ）参照）、前記ＣＩＳ３１からＲ画像データが出力される（図６（ｄ）参照）。次に、同じく前記ＣＩＳ３１で前記ＬＥＤ光源３１Ｇが点灯され（図６（ｃ）参照）、前記ＣＩＳ３１からＧ画像データが出力される（図６（ｄ）参照）。一方、前記ＣＩＳ３１によるＲ画像データ、Ｇ画像データの読み取りと並行して、前記ＣＩＳ３２では前記ＬＥＤ光源３１Ｂが点灯され（図６（ｆ）参照）、前記ＣＩＳ３１からＢ画像データが出力される（図６（ｇ）参照）。そして、この前記ＣＩＳ３１、３２によるＲ画像データ、Ｇ画像データ、Ｂ画像データの読み取りが繰り返し実行されることにより、原稿Ｐからカラー画像データが読み取られる。なお、Ｒ画像データ、Ｇ画像データ、Ｂ画像データの前記ＣＩＳ３１、３２への分担はここで挙げた組み合わせに限らず、他の組み合わせであってもよい。
このように、前記高画質読取モードでは、前記ＣＩＳ３１、３２のみを用いて前記原稿Ｐのカラー画像データを読み取るため前記高速読取モードに比べて読取速度は遅いが、読取画像にノイズが発生しない前記ＣＩＳ３１、３２のみを用いるため高い読取画質を得ることができる。
【００３０】
以上説明したように、前記カラースキャナーＸでは、前記制御部４０が、前記ＣＩＳ３１〜３３各々で読み取られた前記白基準データにおけるノイズの有無やユーザーによる任意選択結果などの予め定められた条件に応じて、前記高速読取モード又は前記高画質読取モードのいずれかを選択し、前記原稿Ｐからカラー画像データを読み取る。ここに、係る処理を実行するときの前記制御部４０が動作選択手段に相当する。これにより、原稿Ｐから読み取られるカラー画像データの読取画質又は読取速度のいずれかを状況に応じて優先的に向上させることが可能となる。
【００３１】
＜カラースキャン処理の他の例＞
ところで、本実施の形態では、３つの前記ＣＩＳ３１〜３３を備える構成について説明したが、例えばＣＩＳを２つ備える構成も他の実施例として考えられる。
ここで、図７を参照しつつ、前記カラースキャナーＸが２つの前記ＣＩＳ３１、３２を有する場合に、前記制御部４０で実行されるカラースキャン処理の手順の一例について説明する。なお、図３に示した前記カラースキャン処理と同様の処理手順には同じ符号を付してその説明を省略する。
【００３２】
（ステップＳ３１１）
まず、前記ステップＳ３において、前記ＣＩＳ３１、３２で読み取られた白基準データのいずれにもノイズがないと判断された場合（Ｓ３のＮｏ側）、前記制御部４０は、続くステップＳ３１１において高速読取モードを実行する。
前記ステップＳ３１１で実行される高速読取モードは、図６に示したように、前記ＣＩＳ３１、３２を用いて、Ｒ画像データ、Ｇ画像データ、Ｂ画像データの読み取りを分担して行う動作モードである。従って、前記高速読取モードでは、前記ＣＩＳ３１、３２を同時に用いて前記原稿Ｐのカラー画像データを高速で読み取ることができる。また、前記ステップＳ３１１では、前記ＣＩＳ３１、３２で読み取られる画像データにノイズが含まれないため（Ｓ３のＮｏ側）、前記ＣＩＳ３１、３２で読み取られるカラー画像データについて高い読取画質が得られる。
【００３３】
（ステップＳ５１１）
また、前記ステップＳ５において前記高画質読取モードが選択されていると判断された場合（Ｓ５のＹｅｓ側）、続くステップＳ５１１において、前記制御部４０は、前記ステップＳ３でノイズが含まれると判断された白基準データが２つであるか否かを判断する。
そして、前記制御部４０は、２つの白基準データでノイズが発生している場合には（Ｓ５１１のＹｅｓ側）、処理をステップＳ５１３に移行させる。また、前記ステップＳ５において前記高画質読取モードが選択されていないと判断された場合にも（Ｓ５のＮｏ側）、処理はステップＳ５１３に移行する。
他方、前記ステップＳ３でノイズが含まれると判断された白基準データが２つではない場合（Ｓ５１１のＮｏ側）、前記制御部４０は、処理をステップＳ５１２に移行させる。
【００３４】
（ステップＳ５１２）
ステップＳ５１２において、前記制御部４０は、前記ＣＩＳ３１、３２のうち前記ステップＳ３でノイズが含まれると判断された白基準データに対応する１つのＣＩＳを除く他の１つのＣＩＳのみを用いて前記高画質読取モードで画像読取処理を実行する。
具体的に、前記ステップＳ３において前記ＣＩＳ３２で読み取られた前記白基準データにノイズが含まれていると判断された場合を考える。この場合、前記ステップＳ５１２で実行される高画質読取モードでは、図５に示したように、前記ＣＩＳ３１のみを用いて、Ｒ画像データ、Ｇ画像データ、Ｂ画像データの読み取りが行われる。これにより、前記ＣＩＳ３１で読み取られるカラー画像データについて高い読取画質が得られる。
【００３５】
（ステップＳ５１３）
一方、ステップＳ５１３において、前記制御部４０は、前記ステップＳ３１１と同様の高速読取モードと前記筋消し制御とを実行する。これにより、図６に示したように、前記ＣＩＳ３１及び前記ＣＩＳ３２で分担してＲ画像データ、Ｇ画像データ、Ｂ画像データの読み取りが行われるため、前記原稿Ｐのカラー画像データが高速で読み取られる。
【００３６】
以上説明したように、前記カラースキャナーＸが２つの前記ＣＩＳ３１、３２を備える構成であっても、前記制御部４０が、前記ＣＩＳ３１、３２各々で読み取られた前記白基準データにおけるノイズの有無やユーザーによる任意選択結果などの予め定められた条件に応じて、前記高速読取モード又は前記高画質読取モードのいずれかを選択的に実行することにより、前記原稿Ｐから読み取られるカラー画像データの読取画質又は読取速度を優先的に向上させることが可能である。
【符号の説明】
【００３７】
１  ：装置本体
１３：原稿セット部
１４：搬送ローラー
１５：原稿押さえ
１６：排紙部
２  ：ＡＤＦ
２１：コンタクトガラス
２２：読取位置
２３：読取ユニット
３１〜３３  ：ＣＩＳ（撮像手段の一例）
３１Ａ〜３３Ａ：白基準ローラー（白基準部材の一例）
３１Ｒ：ＬＥＤ光源
３１Ｇ：ＬＥＤ光源
３１Ｂ：ＬＥＤ光源
３１１：コンタクトガラス
３１２：白色光源
３１３：レンズ
３１４：ラインセンサー（撮像素子の一例）
４０：制御部
４１：ＬＥＤ光源
４２〜４４：ミラー
４５：光学レンズ
４６：ＣＣＤ
Ｘ  ：カラースキャナー（画像読取装置の一例）
【図１】
2013090258.tif 000003
【図２】
2013090258.tif 000004
【図３】
2013090258.tif 000005
【図４】
2013090258.tif 000006
【図５】
2013090258.tif 000007
【図６】
2013090258.tif 000008
【図７】
2013090258.tif 000009